(57)【要約】窒素原子を有さない少なくとも１種のアルコール成分であって、モノヒドロキシ化合物、ジヒドロキシ化合物、トリヒドロキシ化合物並びにこれらのエステルおよびエーテルから選択されるアルコール成分を含有すると共に、さらに下記の成分（ａ）および／または（ｂ）から選択される少なくとも１種の成分を含有する潤滑剤濃厚物：（ａ）分子中の炭素原子数が１４未満であると共に、相互に直接的に結合する分子中の炭素原子数が８未満である窒素含有有機化合物（好ましくは、脂肪族化合物）、および（ｂ）分子中の炭素原子数が１〜１８（好ましくは１〜１０）の有機酸。【特許請求の範囲】
【請求項１】
窒素原子を有さない少なくとも１種のアルコール成分
であって、モノヒドロキシ化合物、ジヒドロキシ化合物、トリヒドロキシ化合物並びにこれらのエステルおよびエーテルから選択されるアルコール成分を含有すると共に、さらに下記の成分（ａ）および／または（ｂ）から選択される少なくとも１種の成分を含有する潤滑剤濃厚物：
（ａ）分子中の炭素原子数が１４未満であると共に、相互に直接的に結合する分子中の炭素原子数が８未満である窒素含有有機化合物（好ましくは脂肪族化合物）、および
（ｂ）分子中の炭素原子数が１〜１８（好ましくは１〜１０）の有機酸。
【請求項２】
全濃厚物に対するアルコール成分の割合が２０重量％よりも高い請求項１記載の潤滑剤濃厚物。
【請求項３】
全濃厚物に対するアルコール成分の割合が５０重量％よりも高い請求項１または２記載の潤滑剤濃厚物。
【請求項４】
アルコール成分として少なくともグリセロールを含有する請求項１から３いずれかに記載の潤滑剤濃厚物。
【請求項５】
窒素含有化合物（ａ）の分子中の炭素原子数が７未満である請求項１から４いずれかに記載の潤滑剤濃厚物。
【請求項６】
窒素含有化合物（ａ）が、分子中に付加的なＯＨ基を有する請求項１から５いずれかに記載の潤滑剤濃厚物。
【請求項７】
窒素含有化合物（ａ）として、下記の一般式（１）で表される化合物を含有する請求項６記載の潤滑剤濃厚物：
【化１】
2004521978.tif 000016
［式中、Ｒ１、Ｒ２およびＲ３は相互に独立してＨまたは−（ＣＨ２）ｎ−ＯＨ（式中、ｎは１または２を示す）を示し、Ｒ１、Ｒ２およびＲ３の全てが同時にＨを示すことはない］
【請求項８】
全濃厚物に対する窒素含有化合物（ａ）の割合が０．１〜２０重量％である請求項１から７いずれかに記載の潤滑剤濃厚物。
【請求項９】
全濃厚物に対する有機酸（ｂ）の割合が０．１〜２０重量％である請求項１から８いずれかに記載の潤滑剤濃厚物。
【請求項１０】
有機酸（ｂ）として酢酸および／またはカプロン酸が存在する請求項１から９いずれかに記載の潤滑剤濃厚物。
【請求項１１】
液体、溶液、ゲル、エマルション、ペーストまたは分散液の状態で存在する請求項１から１０いずれかに記載の潤滑剤濃厚物。
【請求項１２】
下記の群から選択される少なくとも１種の抗菌性成分をさらに含有する請求項１から１１いずれかに記載の潤滑剤濃厚物：アルコール、アルデヒド、抗菌性酸、カルボン酸エステル、酸アミド、フェノール類、フェノール誘導体、ジフェニル類、ジフェニルアルカン、尿素誘導体、酸素アセタール、窒素アセタール、酸素ホルマール、窒素ホルマール、ベンズアミジン類、イソチアゾリン類、フタルイミド誘導体、ピリジン誘導体、抗菌性界面活性剤、グアニジン類、抗菌性両性化合物、キノリン類、１，２−ジブロモ−２，４−ジシアノブタン、ヨード−２−プロピニル−ブチルカルバメート、ヨード、ヨードフォア、過酸化物および過酸。
【請求項１３】
請求項１から１２いずれかに記載の潤滑剤濃厚物または該潤滑剤濃厚物の希釈溶液の使用であって、主として食品加工工業において、プラスチック製、カードボード製、金属製またはガラス製の容器を搬送するため搬送チェーンの潤滑化のための該使用。
【請求項１４】
プラスチック製容器が、ポリエチレンテレフタレート（ＰＥＴ）、ポリエチレンナフテネート（ＰＥＮ）、ポリカーボネート（ＰＣ）およびＰＶＣから成る群から選択される少なくとも１種のポリマーを含有する請求項１３記載の使用。
【請求項１５】
付加的な抗菌性の活性成分を使用中に別に添加する請求項１２から１４いずれかに記載の使用。
【請求項１６】
潤滑剤濃厚物を、所望により水で希釈した後で、補助手段、例えば、ブラシ、スポンジ、ローラー、クロス、ラグ、小ブラシ、ワイパー、ゴムアプリケーターおよび噴霧装置から選択される手段を用いてコンベヤーへ塗布する請求項１１から１５いずれかに記載の使用。
【請求項１７】
希釈倍率が１００００未満、好ましくは０〜１０である請求項１６記載の使用。
【請求項１８】
請求項１から１２いずれかに記載の潤滑剤濃厚物のコンピューター制御による搬送チェーンの予め決められた位置への塗布並びにチェーン洗浄剤および／またはすすぎ水もしくはフラッシング水の周期的塗布による搬送チェーンの順調な運転を維持するプロセス。
【請求項１９】
潤滑剤濃厚物を、塗布前に水で希釈する請求項１８記載のプロセス。
【請求項２０】
潤滑剤の塗布およびチェーン洗浄剤の塗布のために組合せノズル装置を使用する請求項１８または１９記載のプロセス。
【請求項２１】
請求項１から１２いずれかに記載の潤滑剤濃厚物、搬送チェーンの潤滑と洗浄用の装置、およびチェーン洗浄剤を具備する搬送チェーンの順調な運転を維持するためのシステムであって、搬送チェーンの潤滑と洗浄用の装置が、潤滑剤保持用の少なくとも１つのタンクおよびこれと連絡する輸送ポンプと潤滑剤塗布装置への供給ライン、チェーン洗浄剤保持用タンクおよびこれと連絡する輸送ポンプと洗浄剤塗布装置への供給ライン、並びに個々の塗布サイクルと個々の供給量を制御するための調節装置を具有する該システム。
【請求項２２】
潤滑剤塗布装置と洗浄剤塗布装置が、共通のノズルホルダー上に機能性ユニットとして配設される請求項２１記載のシステム。
【請求項２３】
潤滑剤塗布装置が、圧縮空気によって作動する二成分ノズルの形態である請求項２１または２２記載のシステム。
【発明の詳細な説明】
【技術分野】
【０００１】
本発明は、選択されたアルコールを基剤にすると共に、少なくとも１種の選択された含窒素化合物および／または選択された有機カルボン酸を含有する潤滑剤濃厚物（lubricant concentrate ）に関する。本発明は、該潤滑剤濃厚物の使用、これに関連する使用、および該潤滑剤濃厚物を構成要素とするシステムにも関する。
【背景技術】
【０００２】
食品工業（特に、飲料工場）においては、充填プラントにおいて充填されるべき容器は、多種多様なデザインと材質の搬送装置、例えば、プレートコンベヤーまたはチェーン様装置（以下、一般的に搬送チェーンという）を用いて搬送されている。搬送装置は、充填工程の種々の随意の処理段階（例えば、開梱装置、ボトル洗浄装置、充填装置、ボトル密封装置、ラベリング装置およびパッキング装置等を用いる段階）の間のリンクを構成する。このような容器は広範囲に異なる種類と形態の容器であってもよく、特に、ガラス製もしくはプラスチック製のボトル、缶、グラス、ドラム、飲料用容器（ケグ）および紙製もしくはカードボード製の容器である。十分な操作を保証するためには、搬送チェーンには適度な潤滑性が付与されていなければならず、これによって、容器との過度の接触摩擦が回避される。
【０００３】
このような潤滑性付与のためには、摩擦を低減させる活性のある適当な成分を含有する希釈水溶液が一般に使用されている。搬送チェーンは、例えば、浸漬法または噴霧法によってこのような水溶液と接触させている。このような場合には、浸漬法による潤滑プラント、自動ベルトによる潤滑システムまたはチェーンの中央潤滑システムが問題となる。
【０００４】
従来から使用されている搬送チェーン用潤滑剤は、一般に脂肪酸の水溶性アルカリ金属塩もしくはアルカノールアミン塩を基剤とするか、または脂肪アミン（好ましくは、脂肪アミンの有機塩もしくは無機塩）を基剤とするものである。
【０００５】
両方の物質群は、浸漬潤滑法においては問題なく使用することができるが、現在のところ常用されている中央潤滑システムにおいて使用する場合には、多くの欠点が現れる。例えば、独国特許公報ＤＥ−Ａ−２３１３３３０には、炭素原子数が１６〜１８の水性の脂肪酸塩混合物と界面活性剤を含有するセッケンに基づく潤滑剤が記載されている。しかしながら、このようなセッケンに基づく潤滑剤には以下のような欠点がある：
【０００６】
（１）水の硬度成分（即ち、アルカリ土類金属イオン）と水中のその他の成分との反応が発生して、難溶性の金属セッケン（所謂一次アルカリ土類金属セッケン）が生成する。
（２）セッケンに基づくこの種の潤滑剤と水中もしくは被充填製品中に溶解した二酸化炭素との反応が発生する。
（３）得られる塗布溶液は微生物の汚染を常に促進する。
（４）硬水を使用する場合は、水を軟化させるためには、付加的な微生物の汚染源となるために実際上はほとんど許容されないイオン交換体が必要となるか、あるいは生態学的理由から許容されない錯化剤を含有する高活性処理剤が必要となる。
（５）泡の生成量が増大するので、「ボトル検査係」（自動的なボトル検査装置）に関する問題がもたらされ、その結果、搬送される容器は著しく湿潤化される。
【０００７】
（６）この種の製品の大部分は溶剤を含有する。
（７）この種の製品の洗浄作用は弱く、そのために別の洗浄が必要となる。
（８）セッケンに基づくこの種の潤滑剤調製品の効力はｐＨによって左右される。
（９）セッケンに基づく潤滑剤調製品は水温依存性も示す。
（１０）セッケンに基づく貯蔵安定性、特に、低温下での貯蔵安定性は極めて劣っている。
（１１）既知のように、多くのこの種の製品に含有されているＥＤＴＡ（エチレンジアミンテトラアセテート）の生分解は困難である。
（１２）セッケンに基づくこの種の潤滑剤調製品はプラスチック製の全ての搬送材料に対しては適していない。何故ならば、この種の調製品を使用する多くの場合には、該搬送材料の応力亀裂腐食が発生するからである。
【０００８】
セッケンに基づく潤滑剤以外には、脂肪アミンに基づく潤滑剤も主として使用されている。例えば、ＤＥ−Ａ−３６３１９５３には、特に醸造所での飲料充填プラントにおけるチェーン形態のボトルコンベヤーを潤滑すると共に、液状洗浄剤によりコンベヤーベルトを洗浄する方法が記載されている。この方法は、炭素原子数が好ましくは１２〜１８の中和された第一脂肪アミンであって、１０％よりも高い不飽和度を有する脂肪アミンを基剤とするベルト潤滑剤を用いてチェーン形態のボトルコンベヤーを潤滑処理することによって特徴付けられる。
【０００９】
ヨーロッパ特許公報ＥＰ−Ａ−０３７２６２８からは、次式で表される脂肪アミン誘導体を潤滑剤として使用することが知られている：
【化１】
2004521978.tif 000002
【化２】
2004521978.tif 000003
（式中、Ｒ１は炭素原子数が８〜２２の飽和もしくは不飽和な分枝状もしくは線状のアルキル基を示し、Ｒ２は水素原子、炭素原子数が１〜４のアルキル基もしくはヒドロキシアルキル基または−Ａ−ＮＨ２を示し、Ａは炭素原子数が１〜８の線状もしくは分枝状のアルケニル基を示し、Ａ１は炭素原子数が２〜４の線状もしくは分枝状のアルケニル基を示す）
【００１０】
さらに、ＤＥ−Ａ−３９０５５４８からは、少なくとも１個の第二および／または第三アミンを有するＮ−アルキル化脂肪アミン誘導体に基づく潤滑剤が知られている。
【００１１】
ＤＥ−Ａ−４２０６５０６からは、下記の一般式（Ｉ）、（ＩＩａ）、（ＩＩｂ）、（ＩＩＩａ）、（ＩＩＩｂ）、（ＩＩＩｃ）、（ＩＶａ）および（ＩＶｂ）で表される両性化合物、第一、第二および／または第三アミンおよび／またはこのようなアミンの塩に基づくセッケン不含潤滑剤であって、アルキルジメチルアミンオキシドおよび／またはアルキルグリコシドを非イオン界面活性剤として含有する潤滑剤が知られている：
【００１２】
【化３】
2004521978.tif 000004
【化４】
2004521978.tif 000005
【化５】
2004521978.tif 000006
【化６】
2004521978.tif 000007
【化７】
2004521978.tif 000008
【化８】
2004521978.tif 000009
【化９】
2004521978.tif 000010
【化１０】
2004521978.tif 000011
【００１３】
上記の一般式における符号の意義は以下の通りである。
Ｒは、炭素原子数が６〜２２の飽和なまたは１もしくは複数の不飽和結合を有する線状もしくは分枝状アルキル基を示し、該アルキル基は所望により−ＯＨ、−ＮＨ２、−ＮＨ−、−ＣＯ−、−（ＣＨ２ＣＨ２Ｏ）ｌ−または−（ＣＨ２ＣＨ２ＣＨ２Ｏ）ｌ−によって置換されていてもよい。
Ｒ１は、水素原子、炭素原子数が１〜４のアルキル基、炭素原子数が１〜４のヒドロキシアルキル基または−Ｒ３ＣＯＯＭを示す。
Ｒ２は、Ｍが負電荷を示す場合にのみ、水素原子、炭素原子数が１〜４のアルキル基または炭素原子数が１〜４のヒドロキシアルキル基を示す。
【００１４】
Ｒ３は、炭素原子数が１〜１２の飽和なまたは１もしくは複数の不飽和結合を有する線状もしくは分枝状アルキル基を示し、該アルキル基は所望により−ＯＨ、−ＮＨ２、−ＮＨ−、−ＣＯ−、−（ＣＨ２ＣＨ２Ｏ）ｌ−または−（ＣＨ２ＣＨ２ＣＨ２Ｏ）ｌ−によって置換されていてもよい。
Ｒ４は、炭素原子数が６〜２２の置換もしくは非置換の、線状もしくは分枝状の、飽和なまたは１もしくは複数の不飽和結合を有するアルキル基（該アルキル基は少なくとも１個のアミン基、イミン基、ヒドロキシ基、ハロゲン原子および／またはカルボキシ基を置換基として有していてもよい）、または置換もしくは非置換のフェニル基（該フェニル基は少なくとも１個のアミン基、イミン基、ヒドロキシ基、ハロゲン原子、カルボキシ基および／または炭素原子数が６〜２２の置換もしくは非置換の、線状もしくは分枝状の、飽和なまたは１もしくは複数の不飽和結合を有するアルキル基を置換基として有していてもよい）を示す。
Ｒ５は、水素原子または、Ｒ４とは独立して、Ｒ４を示す。
【００１５】
Ｘ−は、アミドスルファネート、ニトレート、ハライド、スルフェート、炭酸水素塩、炭酸塩、ホスフェート、またはＲ６−ＣＯＯ−から成る群から選択されるアニオンを示す。この場合、Ｒ６は、水素原子、炭素原子数が１〜２０の置換もしくは非置換の、線状もしくは分枝状のアルキル基、炭素原子数が２〜２０のアルケニル基（該アルケニル基は少なくとも１個のヒドロキシ基、アミン基またはイミン基を置換基として有していてもよい）または置換もしくは非置換のフェニル基（該フェニル基は炭素原子数１〜２０のアルキル基を置換基として有していてもよい）を示す。
【００１６】
Ｒ７およびＲ８は、相互に独立して、線状もしくは分枝状の炭素原子数が１〜２０のアルキル基もしくは炭素原子数が２〜２０のアルケニル基（該基は少なくとも１個のヒドロキシ基、アミン基またはイミン基を置換基として有していてもよい）または置換もしくは非置換のフェニル基（該フェニル基は炭素原子数が１〜２０のアルキル基を置換基として有していてもよい）を示す。
Ｍは、水素原子、アルカリ金属、アンモニウム、炭素原子数が１〜４のアルキル基、ベンジル基または負電荷を示す。
ｎは１〜１２の整数を示す。
ｍは０〜５の整数を示す。
ｌ（エル）は０〜５の整数を示す。
【００１７】
ヨーロッパ特許公報ＥＰ−Ｂ−６２９２３４には、下記の成分（ａ）〜（ｃ）から成る潤滑剤混合物が開示されている：
（ａ）次式で表される１種もしくは２種以上の化合物：
【化１１】
2004521978.tif 000012
［式中、Ｒ１は、炭素原子数が６〜２２の飽和なまたは１もしくは複数の不飽和結合を有する線状もしくは分枝状アルキル基（該アルキル基は所望により−ＯＨ、−ＮＨ２、−ＮＨ−、−ＣＯ−、ハロゲン原子またはカルボキシル基によって置換されていてもよい）を示し、Ｒ２は、炭素原子数が２〜７のカルボキシル基を示し、Ｍは、水素原子、アルカリ金属、アンモニウム、炭素原子数が１〜４のアルキル基またはベンジル基を示し、ｎは１〜６の整数を示す］、
（ｂ）一塩基性もしくは多塩基性の飽和なまたは１もしくは複数の不飽和結合を有する炭素原子数が２〜２２のカルボン酸から選択される少なくとも１種の有機カルボン酸、並びに
（ｃ）所望による水および補助的な添加剤および／または物質。
【００１８】
国際特許公報ＷＯ９４／０３５６２には、脂肪アミンおよび所望による常套の希釈剤または補助的物資もしくは添加剤に基づく潤滑剤濃厚物であって、脂肪アミンおよび／または該アミンの塩の少なくとも１種のポリアミン誘導体を含有し、該脂肪アミンのポリアミン誘導体の全配合物中の含有量が１〜１００重量％であることを特徴とする潤滑剤濃厚物が記載されている。
【００１９】
ＷＯ９４／０３５６２に記載の好ましい態様によれば、この潤滑剤濃厚物は、下記の一般式で表される脂肪アミンのポリアミン誘導体を少なくとも１種含有する：
【化１２】
2004521978.tif 000013
式中の符号の意義は以下の通りである。
Ｒは、飽和なまたは１もしくは複数の不飽和結合を有する炭素原子数が６〜２２の置換もしくは非置換の線状もしくは分枝状アルキル基（この場合、置換基はアミノ基、イミノ基、ヒドロキシ基、ハロゲン原子およびカルボキシ基から選択される）または置換もしくは非置換のフェニル基（この場合、置換基はアミノ基、イミノ基、ヒドロキシ基、ハロゲン原子、カルボキシ基および飽和なまたは１もしくは複数の不飽和結合を有する炭素原子数が６〜２２の線状もしくは分枝状アルキル基から選択される）を示す。
Ａは、−ＮＨ−または−Ｏ−を示す。
Ｘ−は、無機酸または有機酸のアニオンを示す。
ｋ、ｌ（エル）およびｍは相互に独立して、１〜６の整数を示す。
ｙは、Ａ＝−ＮＨ−のときは０、１、２または３を示し、Ａ＝−Ｏ−のときは１、２、３または４を示す。
ｎは０〜６の整数を示す。
【００２０】
いくつかの充填プラントにおいては、ポリテトラフルオロエチレンに基づく潤滑剤が使用されている。この種の潤滑剤は分散液の状態で入手可能であり、該潤滑剤は、通常の場合のように、ノズルを介してチェーンへ塗布されず、ブラシを用いてチェーンへ塗布されている。この種の潤滑剤は、コンベヤーと搬送製品との間の摩擦を実質上低減させるという利点を有する。さらに、ポリテトラフルオロエチレンはチェーンに対して非常に強く付着する。しかしながら、実際問題としては、搬送チェーンの微生物汚染と汚れに関する全体的な衛生状態が悪化するという欠点があることが判明した。このような問題は、汚染度の増大の結果として潤滑剤の有効性が経時的に低下するという程度まで発生する。
【００２１】
判明した別の欠点は、ポリテトラフルオロエチレンの分散液は貯蔵安定性に欠けるために、経時的に分離するということである。その結果、長期間にわたる場合には、搬送チェーン上に存在する活性成分の量が変化することが判明した。
【００２２】
搬送チェーンを洗浄しようとする場合には、搬送チェーンからの潤滑剤層の除去は非常に困難であることが判明した。
【００２３】
ポリテトラフルオロエチレンとプラスチックとの適合性に関して、ポリテトラフルオロエチレン分散液の適合性を検討したところ、該分散液はＰＥＴボトルに対して応力亀裂をもたらすことも判明した。
【００２４】
通常使用されている潤滑剤は、水を用いるリンス処理によっては容易に除去することができないような接着性の強いフィルムを形成するという欠点を有する。残留物と磨耗性物質が該フィルム中に蓄積することに起因して、作業中に操作不調と衛生問題がもたらされる。
【００２５】
先行して公表されていない特許出願ＤＥ  １９９  ４２  ５３５．３によれば、ポリヒドロキシ化合物に基づく潤滑剤が提供されている。該ポリヒドロキシ化合物は、その分子構造に起因して親水性であると共に、潤滑剤として常用されているアミン類に比べて改良された潤滑効率を発揮する。
【００２６】
この文献においては、アルカンジオールとアルカントリオールから選択されるポリヒドロキシ化合物が特に好ましいとされており、なかでも、グリセロールまたはそのポリマー並びにそのエステルとエーテルは最も好ましいとされている。
【００２７】
先行して公表されていない特許出願DE 199 42 535.3には、アルコールと分子中の炭素原子数が１０未満の窒素含有有機化合物および／または炭素原子数が１〜１０の有機カルボン酸を併用することに関しては全く言及されていない。
【発明の開示】
【発明が解決しようとする課題】
【００２８】
この発明は、窒素不含アルコール成分を基剤とする新規な潤滑剤濃厚物を提供するためになされたものである。
【課題を解決するための手段】
【００２９】
即ち、本発明は、窒素原子を有さない少なくとも１種のアルコール成分であって、モノヒドロキシ化合物、ジヒドロキシ化合物、トリヒドロキシ化合物並びにこれらのエステルおよびエーテルから選択されるアルコール成分を含有すると共に、さらに下記の成分（ａ）および／または（ｂ）から選択される少なくとも１種の成分を含有する潤滑剤濃厚物に関する：
（ａ）分子中の炭素原子数が１４未満であると共に、これと相互に直接的に結合する分子中の炭素原子数が８未満である窒素含有有機化合物（好ましくは脂肪族化合物）、および
（ｂ）分子中の炭素原子数が１〜１８（好ましくは１〜１０）の有機酸またはその塩。
【発明を実施するための最良の形態】
【００３０】
本発明に関しては、全濃厚物に対するアルコール成分の含有量は、２０重量％よりも多量、特に好ましくは２５重量％よりも多量、最も好ましくは５０重量％よりも多量、就中、７０重量％よりも多量にするのが好ましい。
【００３１】
本発明による潤滑剤濃厚物においては、アルコール成分として少なくともグリセロールを存在させるのが好ましい。
【００３２】
また、本発明による潤滑剤濃厚物に存在させる窒素含有化合物（ａ）の分子中の炭素原子数は７未満にするのが好ましい。
【００３３】
本発明による潤滑剤濃厚物中に存在させる窒素含有化合物（ａ）は、分子中に付加的なＯＨ基を有するのが好ましく、また、該濃厚物は、窒素含有化合物（ａ）として、次式（１）で表される化合物を含有するのが特に好ましい：
【化１３】
2004521978.tif 000014
上記の式において、Ｒ１、Ｒ２およびＲ３は相互に独立してＨまたは−（ＣＨ２）ｎ−ＯＨ（式中、ｎ＝１または２である）を示し、Ｒ１、Ｒ２およびＲ３の全ては同時にはＨを示さない。
【００３４】
この点に関しては、窒素含有化合物（ａ）として、モノエタノールアミンおよび／またはトリエタノールアミンを存在させるのが最も好ましい。
【００３５】
本発明による潤滑剤濃厚物の好ましい態様においては、窒素含有化合物（ａ）の含有量は、全濃厚物に対して、０．１〜２０重量％、特に好ましくは０．２〜１０重量％である。
【００３６】
本発明による潤滑剤濃厚物は、有機カルボン酸（ｂ）を、全濃厚物に対して、０．１〜２０重量％、特に好ましくは０．２〜１０重量％含有するのが好ましい。本発明による潤滑剤濃厚物中の好ましい有機カルボン酸成分（ｂ）としては、酢酸および／またはカプロン酸を配合する。
【００３７】
個々の用途の要求に応じて、本発明による潤滑剤濃厚物には、下記の群から選択される少なくとも１種の抗菌性成分を配合するのが好ましい：アルコール、アルデヒド、抗菌性酸、カルボン酸エステル、酸アミド、フェノール類、フェノール誘導体、ジフェニル類、ジフェニルアルカン、尿素誘導体、酸素アセタール、窒素アセタール、酸素ホルマール、窒素ホルマール、ベンズアミジン類、イソチアゾリン類、フタルイミド誘導体、ピリジン誘導体、抗菌性界面活性剤、グアニジン類、抗菌性両性化合物、キノリン類、１，２−ジブロモ−２，４−ジシアノブタン、ヨード−２−プロピニルブチルカルバメート、ヨード、ヨードフォア、過酸化物および過酸。
【００３８】
本発明による潤滑剤濃厚物は、上述の成分のほかに、フッ素化合物およびケイ素化合物から選択される成分をさらに含有してもよい。フッ素化合物としては、下記の群から選択される成分が好ましい：過フッ素化または部分フッ素化したモノマー性有機化合物、過フッ素化または部分フッ素化した少なくとも１種の有機モノマーに基づく純粋なまたは混合状態のダイマーおよびオリゴマー、過フッ素化または部分フッ素化した少なくとも１種の有機モノマーに基づく純粋なまたは混合状態のポリマー。この点に関する特に好ましい構成成分は、先行して公表されなかった独国特許出願DE 199 42 535.3の明細書に開示されている。
【００３９】
ケイ素化合物は、ポリシロキサン類から成る群から選択するのが好ましく、特に、線状、分枝状、環状および架橋状のポリシロキサン類から成る群から選択するのが好ましい。
【００４０】
本発明による潤滑剤濃厚物は、個々の要求に応じて、界面活性剤および溶解促進剤から成る群から選択される別の成分を含有していてもよい。この場合、界面活性剤としては、少なくとも１種のアルキルポリグリコシドを配合するのが特に好ましい。別の成分は、炭素原子数が１０よりも大きい脂肪アルキルアミンおよび／またはこれらのアルコキシレート（特に、ヤシ油アミンエトキシレート）および／またはイミダゾリン化合物および／または両性界面活性剤および／または非イオン性界面活性剤および／またはエーテルカルボン酸および／または炭素原子数が１０よりも大きいエーテルアミン化合物であってもよい。
【００４１】
本発明は、本発明による潤滑剤濃厚物または本発明による潤滑剤濃厚物の希釈溶液の、主として食品加工工業におけるプラスチック製、カードボード製、金属製またはガラス製の容器の搬送工程での使用も提供する。この場合、搬送されるべきプラスチック製容器は、好ましくはポリエチレンテレフタレート（ＰＥＴ）、ポリエチレンナフテネート（ＰＥＮ）、ポリカーボネート（ＰＣ）およびＰＶＣからなる群から選択される少なくとも１種のポリマーを含有する容器であり、最も好ましくはＰＥＴ飲料ボトルである。
【００４２】
本発明による該使用の好ましい態様においては、付加的な抗菌性の活性成分（特に好ましくは、有機過酸、二酸化塩素およびオゾンから選択される成分）が該使用中に別に添加される。
【００４３】
本発明による該使用においては、潤滑剤濃厚物を、所望により水で希釈した後で、補助手段、例えば、ブラシ、スポンジ、ローラー、クロス（cloth）、ラグ（rag）、小ブラシ、ワイパー、ゴムアプリケーターおよび噴霧装置から選択される手段を用いてコンベヤーへ塗布するのが好ましい。
【００４４】
この場合、潤滑剤濃厚物は、非希釈状態（即ち、希釈倍率が０の状態）で使用するか、または、１００００未満の希釈倍率で希釈した状態で使用するのが好ましい。特に好ましい希釈倍率は０〜１０であり、最も好ましい希釈倍率は０〜２である。
【００４５】
さらに、本発明は、本発明による潤滑剤濃厚物のコンピューター制御による搬送チェーンの予め決められた位置への塗布並びにチェーン洗浄剤および／またはすすぎ水もしくはフラッシング（flushing）水の周期的塗布による搬送チェーンの順調な運転を維持するプロセスも提供する。この場合、該潤滑剤濃厚物は、塗布前に希釈するのが好ましい。
【００４６】
また、上記のプロセスにおいては、本発明による潤滑剤とチェーン洗浄剤を塗布するために、組合せノズルを使用するのが好ましい。
【００４７】
さらにまた、本発明は、本発明による潤滑剤濃厚物、搬送チェーンの潤滑と洗浄用の装置およびチェーン洗浄剤を具備する搬送チェーンの順調な運転を維持するためのシステムであって、搬送チェーンの潤滑と洗浄用の装置が、潤滑剤保持用の少なくとも１つのタンクおよびこれと連絡する輸送ポンプと潤滑剤塗布装置への供給ライン、チェーン洗浄剤保持用タンクおよびこれと連絡する輸送ポンプと洗浄剤塗布装置への供給ライン、並びに個々の塗布サイクルと個々の供給量を制御するための調節装置を具有する該システムも提供する。
【００４８】
この場合、潤滑剤塗布装置と洗浄剤塗布装置は、共通のノズルホルダー上に、機能性ユニットとして配設されるのが特に好ましい。
【００４９】
本発明による該システムの最も好ましい態様においては、潤滑剤塗布装置は、圧縮空気によって作動する二成分ノズルとして設計されるのが好ましい。
【実施例】
【００５０】
アルコールを基剤とする潤滑剤を使用する場合には、特にガラス製ボトルの搬送中の潤滑に関する問題が発生する。
【００５１】
このような問題は、本発明による配合物によって解決してもよい。この目的のために、従来技術によるグリセロールに基づく試剤Ｖ１を、本発明によるグリセロールに基づく試剤Ｂ１と比較した。両方の試剤については、飲料ボトル用の種々の材料に対する潤滑作用の観点から試験した。
【００５２】
潤滑作用は、摩擦係数の測定によって決定することができる。飲料ボトルと搬送チェーンとの間の摩擦係数は、本発明においては、搬送チェーンの運転によって飲料ボトルを保持しようとするときに、例えば、ばねばかりへ及ぼされる牽引重量の該ボトル自体の重量に対する比として定義される。この試験においては、ステンレス鋼製の搬送チェーンを使用した。
【００５３】
関連する試験においては、本発明による試剤Ｂ１および比較試剤Ｖ１（２５ｍｌ）をラグを用いて搬送チェーン上へ散布した。次いで、ボトルと搬送チェーンとの間の摩擦係数を１時間にわたって測定した。得られた結果を以下の表１に示す。
【００５４】
【表１】
2004521978.tif 000015
【００５５】
上記のデータを補完するならば、試剤Ｂ１、Ｂ２およびＢ３が微生物学的に十分に安定であるということに言及しておきたい。従って、これらの試剤に防腐剤を添加することも可能であるが、このような措置は絶対に必要なわけではない。
【国際公開パンフレット】
2004521978.tif 000017
2004521978.tif 000018
2004521978.tif 000019
2004521978.tif 000020
2004521978.tif 000021
2004521978.tif 000022
2004521978.tif 000023
2004521978.tif 000024
2004521978.tif 000025
2004521978.tif 000026
2004521978.tif 000027
2004521978.tif 000028
2004521978.tif 000029
2004521978.tif 000030
2004521978.tif 000031
2004521978.tif 000032
2004521978.tif 000033
2004521978.tif 000034
2004521978.tif 000035
2004521978.tif 000036
2004521978.tif 000037
【国際調査報告】
2004521978.tif 000038
2004521978.tif 000039
2004521978.tif 000040
2004521978.tif 000041
2004521978.tif 000042
2004521978.tif 000043
2004521978.tif 000044
2004521978.tif 000045